(57)【要約】【課題】容器内からの気体の排出を効果的に行うことができる帯封を提供することを課題とする。【解決手段】少なくとも一つの重合領域は、非熱収縮部と熱収縮部とが連結されて形成される第一連結部と、第一連結部から非重合領域側へ離間した位置で非熱収縮部と熱収縮部とが連結されて形成されると共に第一連結部よりも連結強度が弱い第二連結部と、第一連結部と第二連結部との間の位置で非熱収縮部を貫通する帯封貫通部とを備えており、第二連結部は、熱収縮部の熱収縮に伴って非熱収縮部と熱収縮部との連結が解かれるように構成されており、第一連結部及び第二連結部を備える重合領域、又は、非重合領域が蓋体貫通部を覆うように容器に巻き付けられる。【選択図】図２
2019112111.tif 000002
【特許請求の範囲】
【請求項１】
開口部を有する容器本体と該容器本体の開口部を塞ぐ蓋体とを備えると共に該蓋体を貫通する蓋体貫通部を備える容器に環状に巻き付け可能に構成されており、
熱収縮しないフィルム材で形成された少なくとも一つの非熱収縮部と、熱収縮するフィルム材で形成された少なくとも一つの熱収縮部とが重なり合って形成される重合領域と、該重合領域に隣接して形成されると共に非熱収縮部における熱収縮部と重なり合わない領域を備える非重合領域と、重合領域で非熱収縮部と熱収縮部とが連結されて形成される帯封であって、
少なくとも一つの重合領域は、非熱収縮部と熱収縮部とが連結されて形成される第一連結部と、第一連結部から非重合領域側へ離間した位置で非熱収縮部と熱収縮部とが連結されて形成されると共に第一連結部よりも連結強度が弱い第二連結部と、第一連結部と第二連結部との間の位置で非熱収縮部を貫通する帯封貫通部とを備えており、
第二連結部は、熱収縮部の熱収縮に伴って非熱収縮部と熱収縮部との連結が解かれるように構成されており、
第一連結部及び第二連結部を備える重合領域、又は、非重合領域が蓋体貫通部を覆うように容器に巻き付けられる帯封。
【請求項２】
非熱収縮部を形成する帯状の第一帯状フィルムと、熱収縮部を形成する第二帯状フィルムとが長さ方向で連結されて形成されており、
重合領域は、第一帯状フィルムの長さ方向の少なくとも一端部と、第二帯状フィルムの長さ方向の一端部とから構成される請求項１に記載の帯封。
【請求項３】
熱収縮部の重合領域を形成する領域は、帯封が容器に巻き付けられた際に、帯封貫通部を容器側から覆うように構成される請求項１又は２に記載の帯封。
【請求項４】
重合領域は、帯封が容器に巻き付けられた際に、蓋体貫通部を覆うように構成されており、
熱収縮部の重合領域を形成する領域は、蓋体と連結される蓋体連結部を備えており、
該蓋体連結部は、熱収縮部の熱収縮に伴って蓋体から離脱するように構成される請求項３に記載の帯封。
【発明の詳細な説明】
【技術分野】
【０００１】
本発明は、開口部を有する容器本体と該容器本体の開口部を塞ぐ蓋体とを備える容器に巻き付けられる容器用の帯封に関する。
【背景技術】
【０００２】
開口部を有する容器本体と該容器本体の開口部を塞ぐ蓋体とを備える容器が知られている。近年では、容器内への異物の侵入や容器本体から蓋体が意図せずに外れてしまうのを防止するために、容器本体の開口部と蓋体との連結が比較的強固なものになっている。
【０００３】
ところで、上記のような容器に収容された食品等の内容物を、電子レンジ等を用いて加熱する場合がある。このように、容器内の内容物を加熱した場合、内容物の水分量と内容物の温度とによっては、内容物から水蒸気が多量に発生することがある。そして、容器内に多量の水蒸気が急激に発生すると、容器の内圧が急激に上昇し、容器の変形や破損が生じたり、蓋体が容器本体から外れたりする虞がある。
【０００４】
そこで、蓋体を貫通する切り込みを蓋体に設けることで、容器内の気体を排出する排気部を形成することが提案されている（特許文献１参照）。これにより、容器内で発生した水蒸気が排気部の切り込みを通過して容器の外側へ排出されるため、容器の内圧の上昇が抑制される。
【０００５】
しかしながら、上記のように蓋体に切り込みを設けて排気部を形成した場合であっても、加熱によって容器の内圧は上昇するため、内圧によって蓋体が容器本体から外れる虞がある。また、排気部の切り込みから容器の内側へ異物が侵入する虞もある。このため、排気部を覆うように帯封を容器に巻き付けることで、内圧の上昇によって蓋体が容器本体から外れるの防止すると共に、排気部から容器の内側へ異物が侵入するのが防止されている。
【先行技術文献】
【特許文献】
【０００６】
【特許文献１】特開２０１７−５２５１８号公報
【発明の概要】
【発明が解決しようとする課題】
【０００７】
しかしながら、上記のように、帯封で排気部を覆った場合、排気部からの気体の排出を帯封が阻害するため、容器内からの気体の排出を効率的に行うことができない。
【０００８】
そこで、本発明は、容器内からの気体の排出を効果的に行うことができる帯封を提供することを課題とする。
【課題を解決するための手段】
【０００９】
本発明に係る帯封は、開口部を有する容器本体と該容器本体の開口部を塞ぐ蓋体とを備えると共に該蓋体を貫通する蓋体貫通部を備える容器に環状に巻き付け可能に構成されており、熱収縮しないフィルム材で形成された少なくとも一つの非熱収縮部と、熱収縮するフィルム材で形成された少なくとも一つの熱収縮部とが重なり合って形成される重合領域と、該重合領域に隣接して形成されると共に非熱収縮部における熱収縮部と重なり合わない領域を備える非重合領域と、重合領域で非熱収縮部と熱収縮部とが連結されて形成される帯封であって、少なくとも一つの重合領域は、非熱収縮部と熱収縮部とが連結されて形成される第一連結部と、第一連結部から非重合領域側へ離間した位置で非熱収縮部と熱収縮部とが連結されて形成されると共に第一連結部よりも連結強度が弱い第二連結部と、第一連結部と第二連結部との間の位置で非熱収縮部を貫通する帯封貫通部とを備えており、
第二連結部は、熱収縮部の熱収縮に伴って非熱収縮部と熱収縮部との連結が解かれるように構成されており、第一連結部及び第二連結部を備える重合領域、又は、非重合領域が蓋体貫通部を覆うように容器に巻き付けられる。
【００１０】
斯かる構成によれば、本発明に係る帯封は、少なくとも一つの重合領域は、非熱収縮部と熱収縮部とが連結されて形成される第一連結部と、第一連結部から非重合領域側へ離間した位置で非熱収縮部と熱収縮部とが連結されて形成されると共に第一連結部よりも連結強度が弱い第二連結部と、第一連結部と第二連結部との間の位置で非熱収縮部を貫通する帯封貫通部とを備える。また、本発明に係る帯封は、第一連結部及び第二連結部を備える重合領域、又は、非重合領域が蓋体貫通部を覆うように容器に巻き付ける。
【００１１】
これにより、食品等の収容物が収容さらた容器に巻き付けられた帯封が電子レンジ等で加熱されると、重合領域において熱収縮部が収縮することになる。この際、第二連結部は、第一連結部よりも連結強度が弱くなるように構成されているため、熱収縮部の熱収縮に伴って、第二連結部の連結が解かれることになる。ここで、第二連結部は、第一連結部よりも非重合領域側に位置し、第一連結部と第二連結部との間の位置に帯封貫通部を備えるため、容器に環状に巻き付けられた帯封の内側と外側とが、第二連結部の連結が解かれた部分、及び、帯封貫通部を介して連通した状態になる。
【００１２】
これにより、蓋体貫通部から排出される気体は、非熱収縮部及び熱収縮部の重合領域を形成する部分の間を通って、帯封貫通部をから環状の帯封の外側へ排出されることになる。このため、蓋体貫通部からの気体の排出が帯封によって阻害されるのを抑制することができ、容器内からの気体の排出を効果的に行うことができる。
【００１３】
また、帯封貫通部が第一連結部と第二連結部との間に位置することで、加熱によって第二連結部の連結が解かれるまでは、帯封貫通部が第二連結部側で封止されることになる。このため、容器に環状に巻き付けられた帯封の内側へ帯封貫通部から異物が侵入するのを抑制することができ、蓋体貫通部から容器内へを異物が侵入するのを抑制することができる。
【００１４】
非熱収縮部を形成する帯状の第一帯状フィルムと、熱収縮部を形成する第二帯状フィルムとが長さ方向で連結されて形成されており、重合領域は、第一帯状フィルムの長さ方向の少なくとも一端部と、第二帯状フィルムの長さ方向の一端部とから構成されることが好ましい。
【００１５】
斯かる構成によれば、非熱収縮部を形成する帯状の第一帯状フィルムと、熱収縮部を形成する第二帯状フィルムとが長さ方向で連結されて形成される。また、重合領域は、第一帯状フィルムの長さ方向の少なくとも一端部と、第二帯状フィルムの長さ方向の一端部とから構成される。
【００１６】
これにより、第一帯状フィルム及び第二帯状フィルムの端部同士の重なりによって、重合領域が形成されるため、重合領域の面積が比較的小さくなる。このため、非熱収縮部（第一帯状フィルム）と熱収縮部（第二帯状フィルム）との間の空間に侵入した気体を斯かる空間から排出させ易くすることができる。
【００１７】
熱収縮部の重合領域を形成する領域は、帯封が容器に巻き付けられた際に、帯封貫通部を容器側から覆うように構成されることが好ましい。
【００１８】
斯かる構成によれば、熱収縮部の重合領域を形成する領域は、帯封が容器に巻き付けられた際に、帯封貫通部を容器側から覆うように構成される。これにより、容器に巻き付けられて環状に形成された帯封の内側へ帯封貫通部から異物が侵入するのを抑制することができる。このため、蓋体貫通部から容器内へ異物が侵入するのをより効果的に抑制することができる。
【００１９】
重合領域は、帯封が容器に巻き付けられた際に、蓋体貫通部を覆うように構成されており、熱収縮部の重合領域を形成する領域は、蓋体と連結される蓋体連結部を備えており、該蓋体連結部は、熱収縮部の熱収縮に伴って蓋体から離脱するように構成されることが好ましい。
【００２０】
斯かる構成によれば、前記熱収縮部の重合領域を形成する領域は、蓋体と連結される蓋体連結部を備える。そして、該蓋体連結部は、熱収縮部の熱収縮に伴って蓋体から離脱するように構成される。
【００２１】
これにより、重合領域が蓋体貫通部を覆った状態で蓋体に連結されるため、蓋体貫通部から容器内への異物の侵入をより効果的に防止することができる。
【００２２】
また、熱収縮部の熱収縮に伴って、蓋体連結部が蓋体から離脱する。このため、容器に環状に巻き付けられた帯封の内側と外側とが、蓋体連結部が蓋体から離脱した部分と、第二連結部の連結が解かれた部分と、帯封貫通部とを介して連通した状態になる。
【００２３】
これにより、蓋体貫通部から排出される気体は、非熱収縮部及び熱収縮部の重合領域を形成する部分の間を通って、帯封貫通部をから環状の帯封の外側へ排出されることになる。このため、蓋体貫通部からの気体の排出が帯封によって阻害されるのを抑制することができる。
【発明の効果】
【００２４】
以上のように、本発明によれば、容器内からの気体の排出を効果的に行うことができる。
【図面の簡単な説明】
【００２５】
【図１】（ａ）は、本発明の一実施形態に係る帯封が巻き付けられる容器の構成を示した側面図、（ｂ）は、同実施形態に係る帯封が巻き付けられる容器を蓋体側から見た平面図。
【図２】同実施形態に係る帯封を示した斜視図。
【図３】同実施形態に係る帯封が容器に巻き付けられた状態を蓋体側から見た平面図。
【図４】（ａ）は、同実施形態に係る帯封が容器に巻き付けられた状態における帯封貫通部の近傍を示した断面図であって第二連結部が分離する前の状態を示した図、（ｂ）は、同実施形態に係る帯封が容器に巻き付けられた状態における帯封貫通部の近傍を示した断面図であって第二連結部が分離した状態を示した図。
【図５】他の実施形態に係る帯封が容器に巻き付けられた状態を蓋体側から見た平面図。
【図６】（ａ）は、更に他の実施形態に係る帯封が容器に巻き付けられた状態における帯封貫通部の近傍を示した断面図であって第二連結部、及び、蓋体連結部が分離する前の状態を示した図、（ｂ）は、同実施形態に係る帯封が容器に巻き付けられた状態における帯封貫通部の近傍を示した断面図であって第二連結部、及び、蓋体連結部が分離した状態を示した図。
【発明を実施するための形態】
【００２６】
以下、本発明の実施形態について図１〜４を参照しながら説明する。なお、以下の図面において同一または相当する部分には同一の参照符号を付しその説明は繰り返さない。
【００２７】
本発明に係る帯封は、図１に例示するような容器Ｘに巻き付けられて使用されるものである。容器Ｘは、図１（ａ）に示すように、容器本体Ｘ１と該容器本体Ｘ１に取り付けられる蓋体Ｘ２とを備えるものである。容器本体Ｘ１は、収容物を収容する内部空間を外側へ開放する開口部Ｘ３を備え、該開口部Ｘ３を塞ぐように蓋体Ｘ２が取り付けられる。
【００２８】
蓋体Ｘ２は、図１（ｂ）に示すように、蓋体を貫通する蓋体貫通部Ｘ４を備え、該蓋体貫通部Ｘ４から容器Ｘ内の気体を排出可能に構成される。本実施形態では、蓋体貫通部Ｘ４は、蓋体Ｘ２を貫通する円弧状の切り込みから構成されている。また、蓋体Ｘ２は、容器本体Ｘ１側へ向かって凹状に形成された凹部Ｘ５を備える。そして、該凹部Ｘ５の内側（より詳しくは、底面）に蓋体貫通部Ｘ４が形成される。なお、蓋体貫通部Ｘ４は、円弧状以外の形状（四角形状等）の切り込みから構成されてもよく、貫通孔（円形状や四角形状等）から構成されてもよい。
【００２９】
本実施形態に係る帯封１は、図２に示すように、熱収縮しないフィルム材で形成された少なくとも一つの非熱収縮部２と、熱収縮するフィルム材で形成された少なくとも一つの熱収縮部３とを備える。具体的には、帯封１は、非熱収縮部２を形成する帯状の第一帯状フィルム２ａと、熱収縮部３を形成する第二帯状フィルム３ａとが連結されて形成される。
【００３０】
帯封１は、非熱収縮部２（第一帯状フィルム２ａ）と熱収縮部３（第二帯状フィルム３ａ）とが重なり合って形成される重合領域１ｂを備える。また、帯封１は、該重合領域１ｂに隣接して形成されると共に非熱収縮部２（第一帯状フィルム２ａ）における熱収縮部３（第二帯状フィルム３ａ）と重なり合わない領域を備える非重合領域１ｃを備える。
【００３１】
重合領域１ｂは、第一帯状フィルム２ａの長さ方向の少なくとも一端部（本実施形態では、両端部）と、第二帯状フィルム３ａの長さ方向の一端部（本実施形態では、両端部）とが重なり合うことで形成される。本実施形態では、帯封１は、長さ方向に間隔を空けて一対の重合領域１ｂを備える。そして、非重合領域１ｃは、一対の重合領域１ｂの間に形成される。
【００３２】
帯封１は、重合領域１ｂにおいて非熱収縮部２と熱収縮部３とが連結されて形成される。具体的には、一方の重合領域１ｂは、非熱収縮部２と熱収縮部３とが連結されて形成される第一連結部１ｄを備える。また、一方の重合領域１ｂは、第一連結部１ｄから非重合領域１ｃ側へ離間した位置で非熱収縮部２と熱収縮部３とが連結されて形成されると共に第一連結部よりも連結強度が弱い第二連結部１ｅを備える。更に、一方の重合領域１ｂは、第一連結部１ｄと第二連結部１ｅとの間の位置で非熱収縮部２を貫通する帯封貫通部１ｆを備える。また、本実施形態では、他方の重合領域１ｂは、第一連結部１ｄのみを備える。
【００３３】
第一連結部１ｄ及び第二連結部１ｅの形状としては、特に限定されるものではなく、本実施形態では、帯封１の幅方向に連続して延びる帯状に形成される。帯封貫通部１ｆの形状としては、特に限定されるものではなく、本実施形態では、帯封１の幅方向に延びるミシン目状に形成される。
【００３４】
第二連結部１ｅは、熱収縮部３の熱収縮に伴って非熱収縮部２と熱収縮部３との連結が解かれるように構成される。また、第一連結部１ｄは、熱収縮部３が熱収縮して非熱収縮部２と熱収縮部３との連結が解かれる際（帯封１が加熱された際）にも、非熱収縮部２と熱収縮部３との連結を維持するように構成される。
【００３５】
なお、非熱収縮部２（第一帯状フィルム２ａ）を構成するフィルム材としては、特に限定されるものではなく、例えば、１１０℃以上の温度で加熱されても長さ方向及び幅方向で収縮しないものであることが好ましい。具体的には、非熱収縮部２（第一帯状フィルム２ａ）を構成するフィルム材としては、例えば、ＯＰＰフィルム等の樹脂フィルムを用いることができる。また、熱収縮部３（第二帯状フィルム３ａ）を構成するフィルム材としては、特に限定されるものではなく、例えば、７０℃以上の温度で加熱された際に長さ方向又は幅方向で収縮するものであることが好ましい。具体的には、熱収縮部３（第二帯状フィルム３ａ）を構成するフィルム材としては、例えば、ＰＥＴフィルム等の樹脂フィルムを用いることができる。
【００３６】
また、非熱収縮部２（第一帯状フィルム２ａ）と熱収縮部３（第二帯状フィルム３ａ）とを連結する方法（具体的には、第一連結部１ｄ、及び／又は。第二連結部１ｅを形成する方法）としては、特に限定されるものではなく、例えば、ヒートシールや、両面テープや、接着剤等の既知の連結方法を用いることができる。
【００３７】
上記のように形成される帯封１は、図３に示すように、容器Ｘに巻き付けられる。この際、重合領域１ｂは、蓋体貫通部Ｘ４を覆うように配置される。また、第一連結部１ｄと第二連結部１ｅとの間の領域（好ましくは、帯封貫通部１ｆと重なる位置）が蓋体貫通部Ｘ４と重なるように配置される。また、帯封１は、図４（ａ）に示すように、容器Ｘに巻き付けられた状態で、熱収縮部３（第二帯状フィルム３ａ）の重合領域１ｂを形成する領域が帯封貫通部１ｆを容器Ｘ側から覆うように配置される。
【００３８】
以上のように、本実施形態に係る帯封１は、容器Ｘ内からの気体の排出を効果的に行うことができる。
【００３９】
即ち、本実施形態に係る帯封１は、少なくとも一つの重合領域１ｂは、非熱収縮部２と熱収縮部３とが連結されて形成される第一連結部１ｄと、第一連結部１ｄから非重合領域１ｃ側へ離間した位置で非熱収縮部２と熱収縮部３とが連結されて形成されると共に第一連結部１ｄよりも連結強度が弱い第二連結部１ｅと、第一連結部１ｄと第二連結部１ｅとの間の位置で非熱収縮部２を貫通する帯封貫通部１ｆとを備える。また、本実施形態に係る帯封１は、第一連結部１ｄ及び第二連結部１ｅを備える重合領域１ｂ、又は、非重合領域１ｃが蓋体貫通部Ｘ４を覆うように容器Ｘに巻き付ける。
【００４０】
これにより、食品等の収容物が収容された容器Ｘに巻き付けられた帯封１が電子レンジ等で加熱されると、重合領域１ｂにおいて熱収縮部３が収縮することになる。この際、第二連結部１ｅは、第一連結部１ｄよりも連結強度が弱くなるように構成されているため、熱収縮部３の熱収縮に伴って、第二連結部１ｅの連結が解かれることになる。ここで、第二連結部１ｅは、第一連結部１ｄよりも非重合領域１ｃ側に位置し、第一連結部１ｄと第二連結部１ｅとの間の位置に帯封貫通部１ｆを備えるため、容器Ｘに環状に巻き付けられた帯封１の内側と外側とが、第二連結部１ｅの連結が解かれた部分、及び、帯封貫通部１ｆを介して連通した状態になる。
【００４１】
これにより、蓋体貫通部Ｘ４から排出される気体は、非熱収縮部２及び熱収縮部３の重合領域１ｂを形成する部分の間を通って、帯封貫通部１ｆから環状の帯封１の外側へ排出されることになる。このため、蓋体貫通部Ｘ４からの気体の排出が帯封１によって阻害されるのを抑制することができる。
【００４２】
また、帯封貫通部１ｆが第一連結部１ｄと第二連結部１ｅとの間に位置することで、加熱によって第二連結部１ｅの連結が解かれるまでは、帯封貫通部１ｆが第一連結部１ｄと第二連結部１ｅとの間で封止されることになる。このため、容器Ｘに環状に巻き付けられた帯封１の内側へ帯封貫通部１ｆから異物が侵入するのを抑制することができ、蓋体貫通部Ｘ４から容器Ｘ内へを異物が侵入するのを抑制することができる。
【００４３】
また、非熱収縮部２を形成する帯状の第一帯状フィルム２ａと、熱収縮部３を形成する第二帯状フィルム３ａとが長さ方向で連結されて形成される。また、重合領域１ｂは、第一帯状フィルム２ａの長さ方向の少なくとも一端部と、第二帯状フィルム３ａの長さ方向の一端部とから構成される。
【００４４】
これにより、第一帯状フィルム２ａ及び第二帯状フィルム３ａの端部同士の重なりによって、重合領域１ｂが形成されるため、重合領域１ｂの面積が比較的小さくなる。このため、非熱収縮部２（第一帯状フィルム２ａ）と熱収縮部３（第二帯状フィルム３ａ）との間の空間に侵入した気体を斯かる空間から排出させ易くすることができる。
【００４５】
また、熱収縮部３の重合領域１ｂを形成する領域は、帯封１が容器Ｘに巻き付けられた際に、帯封貫通部１ｆを容器Ｘ側から覆うように構成される。これにより、容器Ｘに巻き付けられて環状に形成された帯封１の内側へ帯封貫通部１ｆから異物が侵入するのを抑制することができる。このため、蓋体貫通部Ｘ４から容器Ｘ内へ異物が侵入するのをより効果的に抑制することができる。
【００４６】
なお、本発明に係る容器用の帯封は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００４７】
例えば、上記実施形態では、第二連結部１ｅは、帯封１の幅方向に延びる部分のみから形成されているが、これに限定されるものではなく、例えば、図５に示すように、帯封貫通部１ｆの周囲を囲むように第二連結部１ｅが枠状に形成されてもよい。
【００４８】
また、上記実施形態では、容器Ｘに帯封１が巻き付けられた状態で、重合領域１ｂが蓋体貫通部Ｘ４を覆うように構成されているが、これに限定されるものではなく、例えば、非重合領域１ｃが蓋体貫通部Ｘ４を覆うように構成されてもよい。斯かる場合には、重合領域１ｂは、蓋体貫通部Ｘ４の近傍に配置されることが好ましい。
【００４９】
また、図６に示すように、熱収縮部３（第二帯状フィルム３ａ）の重合領域１ｂを形成する領域は、蓋体Ｘ２と連結される蓋体連結部３ｂを備えるように構成されてよい。斯かる場合には、蓋体連結部３ｂは、熱収縮部３（第二帯状フィルム３ａ）の熱収縮に伴って蓋体Ｘ２から離脱するように構成される。
【００５０】
斯かる構成によれば、重合領域１ｂが蓋体貫通部Ｘ４を覆った状態で蓋体Ｘ２に連結されるため、蓋体貫通部Ｘ４から容器Ｘ内への異物の侵入をより効果的に防止することができる。
【００５１】
また、熱収縮部３（第二帯状フィルム３ａ）の熱収縮に伴って、蓋体連結部３ｂが蓋体Ｘ２から離脱する。このため、容器Ｘに環状に巻き付けられた帯封１の内側と外側とが、蓋体連結部３ｂが蓋体Ｘ２から離脱した部分と、第二連結部１ｅの連結が解かれた部分と、帯封貫通部１ｆとを介して連通した状態になる。
これにより、蓋体貫通部Ｘ４から排出される気体は、非熱収縮部２（第一帯状フィルム２ａ）及び熱収縮部３（第二帯状フィルム３ａ）の重合領域１ｂを形成する部分の間を通って、帯封貫通部１ｆから環状の帯封１の外側へ排出されることになる。このため、蓋体貫通部Ｘ４からの気体の排出が帯封１によって阻害されるのを抑制することができる。
【００５２】
なお、蓋体連結部３ｂを形成する方法としては、特に限定されるものではなく、例えば、ヒートシールや、両面テープや、接着剤等の既知の連結方法を用いることができる。また、蓋体連結部３ｂの形状としては、特に限定されるものではなく、例えば、第一連結部１ｄ、及び／又は、第二連結部１ｅと重なる位置に帯状に形成されてもよく、又は、蓋体貫通部Ｘ４を囲むように枠状に形成されてもよい。
【００５３】
また、上記実施形態では、帯封１は、容器Ｘに巻き付けられた状態で、熱収縮部３（第二帯状フィルム３ａ）の重合領域１ｂを形成する領域が帯封貫通部１ｆを容器Ｘ側から（環状の帯封１の内側から）覆うように配置されるが、これに限定されるものではなく、例えば、帯封１が容器Ｘに巻き付けられた状態で、熱収縮部３（第二帯状フィルム３ａ）の重合領域１ｂを形成する領域が帯封貫通部１ｆを環状の帯封１の外側から覆うように配置されてもよい。換言すれば、熱収縮部３（第二帯状フィルム３ａ）の重合領域１ｂを形成する領域と容器Ｘとの間に、非熱収縮部２（第一帯状フィルム２ａ）の重合領域１ｂを形成する領域が位置するように構成されてもよい。
【００５４】
また、上記実施形態では、一つの非熱収縮部２（第一帯状フィルム２ａ）と一つの熱収縮部３（第二帯状フィルム３ａ）とから帯封１が構成されているが、これに限定されるものではなく、例えば、複数の非熱収縮部２（第一帯状フィルム２ａ）と複数の熱収縮部３（第二帯状フィルム３ａ）とから帯封１が構成されてもよい。
【００５５】
また、上記実施形態では、帯封貫通部１ｆは、ミシン目から構成されているが、これに限定されるものではなく、連続した線状、円形状、又は、多角形状等に形成されてもよい。
【００５６】
また、上記実施形態では、帯封１には、一つの帯封貫通部１ｆが形成されているが、これに限定されるものではなく、例えば、複数の帯封貫通部１ｆが形成されてもよい。
【符号の説明】
【００５７】
１…帯封、１ｂ…重合領域、１ｃ…非重合領域、１ｄ…第一連結部、１ｅ…第二連結部、１ｆ…帯封貫通部、２…非熱収縮部、２ａ…第一帯状フィルム、３…熱収縮部、３ａ…第二帯状フィルム、３ｂ…蓋体連結部、Ｘ…容器、Ｘ１…容器本体、Ｘ２…蓋体、Ｘ３…開口部、Ｘ４…蓋体貫通部、Ｘ５…凹部
【図１】
2019112111.tif 000003
【図２】
2019112111.tif 000004
【図３】
2019112111.tif 000005
【図４】
2019112111.tif 000006
【図５】
2019112111.tif 000007
【図６】
2019112111.tif 000008